(57)【要約】【課題】  ジョイントコネクタを安価に製造する。【解決手段】  ジョイントコネクタ１は、ハウジング１０とバスバー２０とを有してなる。ハウジング１０は、コネクタ嵌合室１１とこれらと連通するバスバー挿入口１２とを有し、バスバー挿入口１２はハウジング１０の他のコネクタ９０の嵌合方向と直交する方向の端部に形成されている。バスバー２０は、本体部２２とこれから立設する分岐端子部２１とを有し、バスバー挿入口１２から分岐端子部２１がコネクタ嵌合室１１内で嵌合方向と平行となるように挿入されハウジング１０に収容される。このため、バスバーを支持する従来の蓋部などの部品が不要となり安価に製造することができる。【選択図】  図１
2005149934.tif 000002
【特許請求の範囲】
【請求項１】
複数の他のコネクタと嵌合可能なハウジングと、
このハウジングに備えられ前記複数の他のコネクタ間を短絡させる分岐接続部とを有してなり、
前記ハウジングは、一端が開口されその開口側から前記複数の他のコネクタがそれぞれ挿入嵌合される複数のコネクタ嵌合室と、これら複数のコネクタ嵌合室と連通すると共に前記複数の他のコネクタの嵌合方向と直交する方向の端部に前記分岐接続部を挿入して収容する分岐接続部挿入口とを備え、
前記分岐接続部は、前記ハウジング内に前記嵌合方向と直交する面と平行に収容される板状の本体部と、この本体部から前記嵌合方向に立設され前記ハウジングへの収容時に前記複数のコネクタ嵌合室内に収容される複数の分岐端子部とを備えてなる
ことを特徴とするジョイントコネクタ。
【請求項２】
前記分岐接続部は、前記本体部の一部が前記分岐接続部挿入口から前記ハウジングの外部に露出した状態で前記ハウジングに備えられる
ことを特徴とする請求項１記載のジョイントコネクタ。
【請求項３】
前記分岐接続部は、前記分岐接続部挿入口から圧入され前記ハウジングに係止固定されて収容されることを特徴とする請求項１又は２記載のジョイントコネクタ。
【請求項４】
前記ハウジングは、前記分岐接続部挿入口内に前記分岐接続部を係止固定するランス部を備え、
前記分岐接続部は、前記本体部の一部に前記ランス部と係合する係止穴部を備えてなる
ことを特徴とする請求項１又は２記載のジョイントコネクタ。
【請求項５】
複数の他のコネクタと嵌合可能なハウジングと、
このハウジングに備えられ前記複数の他のコネクタ間を短絡させる分岐接続部とを有してなり、
前記ハウジングは、一端が開口されその開口側から前記複数の他のコネクタがそれぞれ挿入嵌合される複数のコネクタ嵌合室を備え、
前記分岐接続部は、前記ハウジング内に前記複数の他のコネクタの嵌合方向と直交する面と平行に収容される板状の本体部と、この本体部から前記嵌合方向に立設され前記複数のコネクタ嵌合室内に収容される複数の分岐端子部とを備え、且つインサートモールド成形により前記ハウジングに一体的に備えられる
ことを特徴とするジョイントコネクタ。
【請求項６】
前記分岐接続部は、前記本体部の一部が前記ハウジングの外部に露出した状態で前記ハウジングに一体的に備えられることを特徴とする請求項５記載のジョイントコネクタ。
【発明の詳細な説明】
【技術分野】
【０００１】
本発明は、自動車等に搭載されるワイヤハーネスのジョイントコネクタに関し、特に安価に製造することができるジョイントコネクタに関するものである。
【背景技術】
【０００２】
従来から、自動車等のワイヤハーネスの接続に使用されるジョイントコネクタとしては、ワイヤハーネスの各電線に接続された多数の接続端子をコネクタハウジング内に収容し、アース用電線に接続されたアース接続端子をアース端子用ハウジングに収容して、更にこれらの接続端子を同様にコネクタハウジング内に収容されたバスバー等の分岐接続部で短絡させて相互接続し、分岐回路を構成するものが知られている（例えば、特許文献１参照。）。
【０００３】
【特許文献１】特開平７−１６１４１９号公報（第２−４頁、第１−３図）
【発明の開示】
【発明が解決しようとする課題】
【０００４】
しかしながら、特許文献１に記載のジョイントコネクタでは、バスバーをコネクタハウジング内に収容した後、蓋部で挿入口を塞ぐ構造であるため、蓋部が必要となり部品点数が増えてコストの上昇につながってしまうという問題がある。また、バスバーのコネクタハウジングへの取付方向と接続端子やアース端子用ハウジングのコネクタハウジングへの挿入方向とが、対向方向となっているため、バスバーを支持するために蓋部で押えたりボルト止めで固定したりする必要があり、組立作業が繁雑となり結果的にコストの上昇につながってしまう場合がある。
【０００５】
本発明は、このような問題点に鑑みてなされたもので、安価に製造することができるジョイントコネクタを提供することを目的とする。
【課題を解決するための手段】
【０００６】
本発明に係る第１のジョイントコネクタは、複数の他のコネクタと嵌合可能なハウジングと、このハウジングに備えられ前記複数の他のコネクタ間を短絡させる分岐接続部とを有してなり、前記ハウジングは、一端が開口されその開口側から前記複数の他のコネクタがそれぞれ挿入嵌合される複数のコネクタ嵌合室と、これら複数のコネクタ嵌合室と連通すると共に前記複数の他のコネクタの嵌合方向と直交する方向の端部に前記分岐接続部を挿入して収容する分岐接続部挿入口とを備え、前記分岐接続部は、前記ハウジング内に前記嵌合方向と直交する面と平行に収容される板状の本体部と、この本体部から前記嵌合方向に立設され前記ハウジングへの収容時に前記複数のコネクタ嵌合室内に収容される複数の分岐端子部とを備えてなることを特徴とする。
【０００７】
本発明に係る第２のジョイントコネクタは、複数の他のコネクタと嵌合可能なハウジングと、このハウジングに備えられ前記複数の他のコネクタ間を短絡させる分岐接続部とを有してなり、前記ハウジングは、一端が開口されその開口側から前記複数の他のコネクタがそれぞれ挿入嵌合される複数のコネクタ嵌合室を備え、前記分岐接続部は、前記ハウジング内に前記複数の他のコネクタの嵌合方向と直交する面と平行に収容される板状の本体部と、この本体部から前記嵌合方向に立設され前記複数のコネクタ嵌合室内に収容される複数の分岐端子部とを備え、且つインサートモールド成形により前記ハウジングに一体的に備えられることを特徴とする。
【０００８】
なお、第１及び第２のジョイントコネクタでは、分岐接続部は、例えば本体部の一部がハウジングの外部に露出した状態で備えられると良い。
【０００９】
また、第１のジョイントコネクタでは、分岐接続部は、例えばハウジングに圧入により係止固定され収容されたり、ハウジングに形成されたランス部に、本体部の一部に形成されたランス部と係合する係止穴部を係合して係止固定され収容されたりすると良い。
【発明の効果】
【００１０】
本発明によれば、ハウジングに収容される分岐接続部が、例えば圧入により収容されたりランス部により係止固定され収容されたり、又はインサートモールド成形により一体的に備えられたりするため、従来のジョイントコネクタと比べて分岐接続部を支持する蓋部などの部品が不要となり部品点数を少なくしてコストを抑えることが可能となる。
【発明を実施するための最良の形態】
【００１１】
以下、添付の図面を参照して、本発明の好ましい実施の形態を説明する。
【００１２】
図１は、本発明の一実施形態に係るジョイントコネクタ及び他のコネクタを示す分解斜視図、図２は、このジョイントコネクタと他のコネクタの一部との嵌合状態を示す外観斜視図、図３は、このジョイントコネクタと他のコネクタとの嵌合状態を示す一部断面図、図４は、このジョイントコネクタの一部拡大断面図である。
ジョイントコネクタ１は、複数の他のコネクタ９０と嵌合可能な構造に形成されたハウジング１０と、このハウジング１０に備えられハウジング１０に嵌合された複数の他のコネクタ９０間を短絡させる分岐接続部としてのバスバー２０とを有して構成されている。
【００１３】
ハウジング１０は、例えば樹脂成型部材からなり、一端が開口されその開口側から複数の他のコネクタ９０がそれぞれ挿入嵌合される複数のコネクタ嵌合室１１を備えている。また、これら複数のコネクタ嵌合室１１と連通し複数の他のコネクタ９０のハウジング１０への嵌合方向と直交する方向の端部に、バスバー２０をハウジング１０内に挿入して収容するバスバー挿入口１２を備えている。
【００１４】
なお、ハウジング１０のバスバー挿入口１２内には、図３及び図４に示すように、挿入されるバスバー２０と係合しバスバー２０をハウジング１０内に係止固定するためのランス部１３が形成されている。
【００１５】
一方、バスバー２０は、例えば金属板を打ち抜き／折り曲げ加工などして形成され、バスバー挿入口１２から挿入されてハウジング１０内に他のコネクタ９０の嵌合方向と直交する面と平行に収容される板状の本体部２２と、この本体部２２から該嵌合方向に立設されてハウジング１０への収容時に複数のコネクタ嵌合室１１内に収容される複数の分岐端子部２１とを備えている。
【００１６】
このバスバー２０の本体部２２には、上述したバスバー挿入口１２内のランス部１３と係合する係止穴部２３と、図示しないボルト及びナットにより取付部材（図示せず）に取付固定するための取付穴２４とが形成されている。なお、バスバー２０の本体部２２の取付穴２４形成部分周辺部は、バスバー挿入口１２への挿入時に把持されると共にハウジング１０への収容時にハウジング１０の外部に露出した状態でハウジング１０に備えられる。
【００１７】
ここで、ハウジング１０に嵌合される複数の他のコネクタ９０は、複数の端子収容室９１を備え、これら端子収容室９１内には、それぞれ複数の電線８０に接続された複数の接続端子３０が収容されている。これら接続端子３０は、図３に示すように、例えばバスバー２０の分岐端子部２１と接続される筒状の接続部３１と、端末部において被覆８２が除去され芯線８１が露出（口出し）された電線８０の芯線８１と圧着等により接続される電線接続部３２と、電線８０を加締め等により固定保持する電線固定部３３と、これら接続部３１、電線接続部３２及び電線固定部３３を連結する帯板形状の帯板部３４とを備えて構成されている。そして、接続端子３０の接続部３１には、バスバー２０の分岐端子部２１と接触する接触片３５が備えられている。
【００１８】
なお、複数の端子収容室９１内には、図３に示すように、例えば収容された接続端子３０をそれぞれ係止固定する弾性片からなる端子ランス部９６が形成されており、接続端子３０の接続部３１の上面側には、端子ランス部９６と係合するランス係合穴部３６が形成されている。これら端子ランス部９６とランス係合穴部３６とで、接続端子３０は他のコネクタ９０の端子収容室９１内に確実に係止固定される。
【００１９】
また、複数の他のコネクタ９０とジョイントコネクタ１との嵌合状態は、例えば複数の他のコネクタ９０に形成された突起部９２を有する弾性係合片９３と、ジョイントコネクタ１のハウジング１０の各コネクタ嵌合室１１の側壁に形成された突起部９２が係合する端部１４を有する弾性係合片係合部１５とを係合することにより保持されている。
【００２０】
更に、複数の他のコネクタ９０の側壁には、位置決め挿入突条９９が形成されており、ハウジング１０の各コネクタ嵌合室１１の側壁には、この位置決め挿入突条９９がスライド挿入される溝部１９が形成され、位置決め挿入突条９９と溝部１９とを位置合わせしながら他のコネクタ９０をコネクタ嵌合室１１に挿入嵌合することで、ジョイントコネクタ１と複数の他のコネクタ９０とをそれぞれ正確に嵌合することが可能な構造となっている。
【００２１】
このように構成されたジョイントコネクタ１では、バスバー２０をハウジング１０にバスバー挿入口１２から他のコネクタ９０との嵌合方向と分岐端子部２１が平行となるように、該嵌合方向と直交する方向から挿入して収容するため、他のコネクタ９０との嵌合の際に、従来のようにバスバーを押えたり支持したりするための蓋部などの部品が不要となり部品点数を抑えてコストを少なくすることができる。
【００２２】
また、ジョイントコネクタ１のバスバー２０を支持するために、従来のジョイントコネクタのように蓋部でバスバーを押えたりボルト止めで固定したりする必要がなくなるため、ジョイントコネクタ１の組立作業が容易になり、コストを抑えることができる。
【００２３】
なお、上記ジョイントコネクタ１では、バスバー２０は、バスバー挿入口１２内のランス部１３とバスバー２０の係止穴部２３とを係合することでハウジング１０に係止固定されているが、これらランス部１３及び係止穴部２３の代わりに、バスバー挿入口１２内に圧入されてハウジング１０に固定される構造でも良い。
【００２４】
図５は、本発明の他の実施形態に係るジョイントコネクタと他のコネクタの一部との嵌合状態を示す外観斜視図である。なお、以降において、既に説明した部分と重複する部分の説明は割愛し、言及しない部分については既述のものが適用可能であるとする。
このジョイントコネクタ１Ａは、バスバー２０が、ハウジング１０にインサートモールド成形により一体的に備えられている点が、先の例のジョイントコネクタ１と相違している。このジョイントコネクタ１Ａでは、バスバー２０をハウジング１０にインサートモールド成形により収容するため、上記ジョイントコネクタ１と同様に、他のコネクタ９０との嵌合の際に、従来のようにバスバーを押えたり支持したりするための蓋部などの部品が不要となり部品点数を抑えてコストを少なくすることができる。また、ジョイントコネクタ１のバスバー２０を支持するために、従来のジョイントコネクタのように蓋部でバスバーを押えたりボルト止めで仮固定したりする必要がなくなり、ジョイントコネクタ１の組立作業が容易でコストを抑えることが可能となる。
【産業上の利用可能性】
【００２５】
本発明は、分岐接続を含む電気的接続を行う各種の用途に利用できる。
【図面の簡単な説明】
【００２６】
【図１】本発明の一実施形態に係るジョイントコネクタ及び他のコネクタを示す分解斜視図である。
【図２】同ジョイントコネクタと他のコネクタの一部との嵌合状態を示す外観斜視図である。
【図３】同ジョイントコネクタと他のコネクタとの嵌合状態を示す一部断面図である。
【図４】同ジョイントコネクタの一部拡大断面図である。
【図５】本発明の他の実施形態に係るジョイントコネクタと他のコネクタの一部との嵌合状態を示す外観斜視図である。
【符号の説明】
【００２７】
１，１Ａ…ジョイントコネクタ、１０…ハウジング、１１…コネクタ嵌合室、１２…バスバー挿入口、１３…ランス部、１４…端部、１５…弾性係合片係合部、１９…溝部、２０…バスバー、２１…分岐端子部、２２…本体部、２３…係止穴部、２４…取付穴、３０…接続端子、３１…接続部、３２…電線接続部、３３…電線固定部、３４…帯板部、３５…接触片、３６…ランス係合穴部、８０…電線、８１…芯線、８２…被覆、９０…他のコネクタ、９１…端子収容室、９２…突起部、９３…弾性係合片、９６…端子ランス部、９９…位置決め挿入突条。
【図１】
2005149934.tif 000003
【図２】
2005149934.tif 000004
【図３】
2005149934.tif 000005
【図４】
2005149934.tif 000006
【図５】
2005149934.tif 000007